(57)【要約】【課題】無線タグ読取装置およびホストの処理を軽減することができる無線タグ読取システム、ホスト、および無線タグ読取装置を提供する。【解決手段】アンテナ１０１を介して、無線タグ１００からタグＩＤを読み取り、タグＩＤを読み取った重複しない無線タグ１００の数が、ホスト１０５から受信したリードコマンドが指定する数に達している場合に、読み取った重複しない無線タグ１００のタグＩＤをホスト１０５に送信することにより、ホスト１０５がタグＩＤの受信処理を行う回数を減らすことができるので、無線タグ読取装置１０４およびホスト１０５の処理を軽減することができる。【選択図】図１
2011053898.tif 000002
【特許請求の範囲】
【請求項１】
無線タグと信号を送受信するアンテナを介して、前記無線タグのタグＩＤを読み取る無線タグ読取装置と、前記無線タグ読取装置により読み取られた前記タグＩＤを受信するホストと、を有する無線タグ読取システムであって、
前記ホストは、
前記タグＩＤを読み取る重複しない前記無線タグの数を指定するリードコマンドを前記無線タグ読取装置に送信する送信手段、
を備え、
前記無線タグ読取装置は、
前記リードコマンドを前記ホストから受信する受信手段と、
前記タグＩＤを読み取った重複しない前記無線タグの数が、受信した前記リードコマンドが指定する数に達している場合に、重複しない前記無線タグから読み取った全ての前記タグＩＤを前記ホストに送信する送信手段と、
を備えたことを特徴とする無線タグ読取システム。
【請求項２】
前記ホストは、
前記タグＩＤを読み取った重複しない前記無線タグの数を前記無線タグ読取装置から受信する受信手段、
をさらに備え、
前記無線タグ読取装置の前記送信手段は、さらに、前記タグＩＤを読み取った重複しない前記無線タグの数が前記リードコマンドにより指定された数に達していない場合、前記タグＩＤを読み取った重複しない前記無線タグの数を前記ホストに送信することを特徴とする請求項１に記載の無線タグ読取システム。
【請求項３】
無線タグと信号を受信するアンテナを介して前記無線タグのタグＩＤを読み取る無線タグ読取装置に、前記タグＩＤを読み取る重複しない前記無線タグの数を指定するリードコマンドを送信する送信手段と、
前記リードコマンドにより指定した数の重複しない前記無線タグの前記タグＩＤを前記無線タグ読取装置から受信する受信手段と、
を備えたことを特徴とするホスト。
【請求項４】
前記受信手段は、前記無線タグ読取装置により前記無線タグの前記タグＩＤが読み取られている間、前記タグＩＤを読み取った重複しない前記無線タグの数を前記無線タグ読取装置から受信することを特徴とする請求項３に記載のホスト。
【請求項５】
無線タグと信号を送受信するアンテナと、
前記アンテナを介して前記無線タグからタグＩＤを読み取る読取手段と、
前記読取手段により前記タグＩＤを読み取る重複しない前記無線タグの数を指定するリードコマンドをホストから受信する受信手段と、
前記タグＩＤを読み取った重複しない前記無線タグの数が、受信した前記リードコマンドが指定する数に達している場合に、読み取った全ての前記タグＩＤを前記ホストに送信する送信手段と、
を備えたことを特徴とする無線タグ読取装置。
【請求項６】
前記送信手段は、さらに、前記タグＩＤを読み取った重複しない前記無線タグの数が前記リードコマンドにより指定された数に達していない場合、前記タグＩＤを読み取った重複しない前記無線タグの数を前記ホストに送信することを特徴とする請求項５に記載の無線タグ読取装置。
【発明の詳細な説明】
【技術分野】
【０００１】
本発明は、無線タグ読取システム、ホスト、および無線タグ読取装置に関する。
【背景技術】
【０００２】
ＲＦＩＤ（Radio  Frequency  Identification）リーダなどの無線タグ読取装置は、ホストから読取開始命令を受け取ると、読取停止命令を受け取るまで、無線タグの読み取りを繰り返し実行する（例えば、特許文献１参照）。そして、無線タグ読取装置は、定期的にまたはホストからの要求に応じて、無線タグから読み取ったタグＩＤなどのデータをホストに通知する。また、無線タグ読取装置は、データを全てホストに通知すると、再度、無線タグの読み取りを実行して、自装置内に読み取ったデータを蓄積する。
【発明の概要】
【発明が解決しようとする課題】
【０００３】
ところで、無線タグ読取装置が無線タグの読み取りを繰り返し実行すると、無線タグが静止している場合などは、無線タグから殆ど同じデータを繰り返し読み取ることになる。ここで、読み取るデータが殆ど同じとしているのは、アンテナから発信する電波が不安定で毎回全てのデータを無線タグから読み取れない場合や、アンテナ上に複数の無線タグが置かれるなど、タイミングよっては全ての無線タグがアンテナの電波放射エリア内に入らない場合もあるからである。
【０００４】
したがって、無線タグ読取装置により繰り返し読み取られたデータが毎回通知されると、ホストは、大量のデータを無線タグ無線装置から受信することになる。また、ホストは、１回目に無線タグ読取装置により読み取られたデータと、２回目に無線タグ読取装置により読み取られたデータと、の間に重複がないかをチェックする必要がある。このような、大量のデータの受信およびデータの重複チェック処理は、ホストの主要部であるＣＰＵ（Central  Processing  Unit）などのリソースを大量に使うことになり、画面表示処理などのホスト全体の処理能力を低下させることある、という課題がある。
【０００５】
本発明は、上記に鑑みてなされたものであって、無線タグ読取装置およびホストの処理を軽減することができる無線タグ読取システム、ホスト、および無線タグ読取装置を提供することを目的とする。
【課題を解決するための手段】
【０００６】
上述した課題を解決し、目的を達成するために、本発明は、無線タグと信号を送受信するアンテナを介して、前記無線タグのタグＩＤを読み取る無線タグ読取装置と、前記無線タグ読取装置により読み取られた前記タグＩＤを受信するホストと、を有する無線タグ読取システムであって、前記ホストは、前記タグＩＤを読み取る重複しない前記無線タグの数を指定するリードコマンドを前記無線タグ読取装置に送信する送信手段、を備え、前記無線タグ読取装置は、前記リードコマンドを前記ホストから受信する受信手段と、前記タグＩＤを読み取った重複しない前記無線タグの数が、受信した前記リードコマンドが指定する数に達している場合に、重複しない前記無線タグから読み取った全ての前記タグＩＤを前記ホストに送信する送信手段と、を備えたことを特徴とする。
【０００７】
また、本発明は、無線タグと信号を受信するアンテナを介して前記無線タグのタグＩＤを読み取る無線タグ読取装置に、前記タグＩＤを読み取る重複しない前記無線タグの数を指定するリードコマンドを送信する送信手段と、前記リードコマンドにより指定した数の重複しない前記無線タグの前記タグＩＤを前記無線タグ読取装置から受信する受信手段と、を備えたことを特徴とする。
【０００８】
また、本発明は、無線タグと信号を送受信するアンテナと、前記アンテナを介して前記無線タグからタグＩＤを読み取る読取手段と、前記読取手段により前記タグＩＤを読み取る重複しない前記無線タグの数を指定するリードコマンドをホストから受信する受信手段と、前記タグＩＤを読み取った重複しない前記無線タグの数が、受信した前記リードコマンドが指定する数に達している場合に、読み取った全ての前記タグＩＤを前記ホストに送信する送信手段と、を備えたことを特徴とする。
【発明の効果】
【０００９】
本発明にかかる無線タグ読取システム、ホスト、および無線タグ読取装置は、無線タグ読取装置およびホストの処理を軽減することができる、という効果を奏する。
【図面の簡単な説明】
【００１０】
【図１】図１は、本発明の一実施の形態である無線タグ読取システムの構成を示す図である。
【図２】図２は、無線タグ読取装置が備えるアンテナの構成例を示す図である。
【図３】図３は、無線タグ読取装置のハードウェア構成を示すブロック図である。
【図４】図４は、ホストのハードウェア構成を示すブロック図である。
【図５】図５は、無線タグ読取装置およびホストの機能構成を示すブロック図である。
【図６】図６は、タグＩＤの送信処理の流れを示すフローチャートである。
【図７】図７は、タグＩＤの送信処理の流れを示すフローチャートである。
【発明を実施するための形態】
【００１１】
以下に添付図面を参照して、この発明にかかる無線タグ読取システム、ホスト、および無線タグ読取装置の最良な実施の形態を詳細に説明する。
【００１２】
図１は、本発明の一実施の形態である無線タグ読取システムの構成を示す図である。本実施の形態の無線タグ読取システム１は、無線タグ１００と信号を送受信するアンテナ１０１を介して、無線タグ１００のタグＩＤを読み取る無線タグ読取装置１０４、および無線タグ読取装置１０４により読み取ったタグＩＤを受信するホスト１０５（例えば、ＰＣ：Personal  Computer、ＰＯＳ（Point  Of  Sale）端末など）を有している。
【００１３】
無線タグ読取装置１０４は、アンテナ１０１が同軸ケーブル１０３を介して本体部１０２に接続されている。なお、読み取り対象の無線タグ１００は、実際には郵便物、封筒、書類等の物品に取り付けられるが、本明細書では説明の簡単のため、無線タグ１００のみを示して説明する。
【００１４】
図２は、無線タグ読取装置が備えるアンテナの構成例を示す図である。
【００１５】
アンテナ１０１は、図２に示すように、ループ形状を有している。より具体的には、アンテナ１０１は、基板上に形成された導体からなる円形のループを複数分割し、その間隙をコンデンサ２０１で接続して所望の共振周波数を得るものが用いられる。給電点２０２には通常、不平衡の同軸ケーブルが接続されるため、不平衡−平衡変換用のバラン２０３が設けられている。
【００１６】
現在広く利用されるようになってきているＵＨＦ帯のＲＦＩＤ用磁界型リーダアンテナであれば、上記ループの直径は約１０ｃｍ、各コンデンサ２０１の容量を１ｐＦ程度とすることにより、日本において使用される周波数帯域の中心である９５３ＭＨｚに共振周波数を合わせることが可能である。ただし、使用する基板や周囲の環境などにより共振周波数は変化するため、ループの直径や、ループの分割数、使用するコンデンサ２０１の容量値などは適宜調整が必要である。本実施形態では、上記の一般的な磁界型リーダアンテナをアンテナ１０１として用いる。
【００１７】
なお、本実施の形態では、磁界型リーダアンテナをアンテナ１０１として用いているが、これに限定するものではない。例えば、従来からよく使用されているいわゆるパッチアンテナをアンテナ１０１として用いることもできる。ちなみに、直線偏波型のパッチアンテナは、誘電体を挟んで導体パターンと接地導体が対向する層構造を有する基板上に、約１／２波長の正方形導体パターンを配置し、共振させるための給電部を設けることによって形成される（図示せず）。
【００１８】
図３は、無線タグ読取装置のハードウェア構成を示すブロック図である。無線タグ読取装置１０４は、ＣＰＵ３０１、ＲＯＭ３０２、ＲＡＭ３０３、出力ＤＡ変換器３０４、ＰＬＬ３０５、パワーアンプ３０６、デジタル変復調器３０７、ＬＮＡ３０８、サーミスタ３０９、通信制御部３１０、ＡＤ変換器３１１などを備えている。
【００１９】
ＣＰＵ（Central  Processing  Unit）３０１は、無線タグ読取装置１０４の主要部であって各部を集中的に制御するものである。ＲＯＭ（Read  Only  Memory）３０２は、ＯＳ（Operating  System）などの各種プログラムを記憶した読み出し専用メモリである。ＲＡＭ（Random  Access  Memory）３０３は、各種データを書換え可能に記憶するものである。出力ＤＡ変換器３０４は、ホスト１０５などに出力するデジタル信号をアナログ信号に変換するものである。ＰＬＬ（Phase  Locked  Loop）３０５は、自装置内に入力される信号の基準周波数と自装置から出力する信号の周波数とを一致させる電子回路である。サーミスタ３０９は、自装置内の温度を検出するものである。パワーアンプ３０６は、アンテナ１０１を介して無線タグ１００から受信した信号やサーミスタ３０９の検出信号などを増幅するものである。ＬＮＡ（Low  Noise  Amplifier）３０８は、アンテナ１０１を介して無線タグ１００から受信した信号やサーミスタ３０９の検出信号を増幅させるものであって、自装置の初段に適用される雑音指数の小さい増幅器である。ＡＤ変換器３１１は、ホスト１０５から入力されたアナログ信号、アンテナ１０１を介して無線タグ１００から受信した信号、サーミスタ３０９の検出信号などをデジタル信号に変換するものである。デジタル変復調器３０７は、ＡＤ変換器３１１によりデジタル信号に変換された信号を変復調するものである。通信制御部３１０は、ＲＳ２３２Ｃに従ってホスト１０５との通信を司るものである。
【００２０】
図４は、ホストのハードウェア構成を示すブロック図である。ホスト１０５は、ＣＰＵ４０１、ＲＯＭ４０２、ＲＡＭ４０３、出力ＤＡ変換器４０４、デジタル変復調器４０５、ＡＤ変換器４０６、通信制御部４０７などを備えている。
【００２１】
ＣＰＵ４０１は、ホスト１０５の主要部であって各部を集中的に制御部するものである。ＲＯＭ４０２は、ＯＳなどの各種プログラムを記憶した読み出し専用メモリである。ＲＡＭ４０３は、各種データを書換え可能に記憶するものである。出力ＤＡ変換器４０４は、無線タグ読取装置１０４などに出力するデジタル信号をアナログ信号に変換するものである。ＡＤ変換器４０６は、無線タグ読取装置１０４から入力されたアナログ信号などをデジタル信号に変換するものである。デジタル変復調器４０５は、ＡＤ変換器４０６によりデジタル信号に変換された信号を変復調するものである。通信制御部４０７は、ＲＳ２３２Ｃに従って無線タグ読取装置１０４との通信を司るものである。
【００２２】
次に、無線タグ読取装置１０４およびホスト１０５のＲＯＭ３０２，４０２に記憶されている各種プログラムがＣＰＵ３０１，４０１に実行させる機能のうち、本実施の形態の無線タグ読取装置１０４およびホスト１０５が備える特長的な機能について説明する。
【００２３】
図５は、無線タグ読取装置およびホストの機能構成を示すブロック図である。図５に示すように、無線タグ読取装置１０４は、各種プログラムに従うことにより、読取手段５０１、受信手段５０２、送信手段５０３などを実現する。さらに、図５に示すように、ホスト１０５は、各種プログラムに従うことにより、送信手段５０４、受信手段５０５などを実現する。
【００２４】
まず、無線タグ読取装置１０４の各手段について説明する。
【００２５】
受信手段５０２は、通信制御部３１０を介して、タグＩＤの読取開始を命令するコマンドであるタグ読み取り開始コマンド（ＲＤ，ＳＴＡＲＴ）、タグＩＤの読取停止を命令するタグ読み取り停止コマンド（ＲＤ，ＳＴＯＰ）、タグＩＤを読み取る重複しない無線タグ１００の数を指定するリードコマンド（ＲＤ，ａ：３０）などをホスト１０５から受信するものである。
【００２６】
読取手段５０１は、受信手段５０２によりホスト１０５からタグ読み取り開始コマンド（ＲＤ，ＳＴＡＲＴ）を受信すると、アンテナ１０１を介して、無線タグ１００からタグＩＤ（０００００１，０００００２，・・・，００００３０）を読み取る。そして、読取手段５０１は、読み取ったタグＩＤをＲＡＭ３０３などの記憶媒体に蓄積する。なお、読取手段５０１は、読み取ったタグＩＤが既にＲＡＭ３０３に蓄積されているタグＩＤと同じ場合には、当該タグＩＤをＲＡＭ３０３に蓄積しない。つまり、ＲＡＭ３０３には、重複しない無線タグ１００のタグＩＤのみが蓄積されている。さらに、読取手段５０１は、無線タグ１００のタグＩＤであって、ＲＡＭ３０３に蓄積されているタグＩＤとは異なるタグＩＤを読み取る毎に、タグＩＤを読み取った重複しない無線タグ１００の数（以下、読み取り枚数Ｚとする）をインクリメントする。読み取り枚数Ｚは、ＲＡＭ３０３などの記憶媒体に記憶されているものとする。なお、読取手段５０１は、受信手段５０２によりホスト１０５からタグ読み取り停止コマンド（ＲＤ，ＳＴＯＰ）を受信するまで、無線タグ１００からのタグＩＤの読み取りを繰り返すものとする。
【００２７】
送信手段５０３は、読み取り枚数Ｚが、受信手段５０２によりホスト１０５から受信したリードコマンドが指定する数ａに達している場合に、通信制御部３１０を介して、ＲＡＭ３０３に記憶されたタグＩＤ（つまり、重複しない無線タグ１００から読み取った全てのタグＩＤ（ＲＤ，ｄ：０００００１，ｄ：０００００２，・・・，ｄ：００００３０））をホスト１０５に送信する。また、送信手段５０３は、タグＩＤをホスト１０５に送信した際に、読み取り枚数Ｚをクリアする。なお、送信手段５０３は、読み取り枚数Ｚが、受信手段５０２によりホスト１０５から受信したリードコマンドが指定する数ａに達していない場合、読み取り枚数Ｚをホスト１０５に送信する。
【００２８】
次に、ホスト１０５の各手段について説明する。
【００２９】
送信手段５０４は、通信制御部４０７を介して、タグ読み取り開始コマンド（ＲＤ，ＳＴＡＲＴ）、タグ読み取り停止コマンド（ＲＤ，ＳＴＯＰ）、リードコマンド（ＲＤ，ａ：３０）などを無線タグ読取装置１０４に送信するものである。
【００３０】
受信手段５０５は、通信制御部４０７を介して、リードコマンドにより指定した数の重複しない無線タグ１００のタグＩＤを無線タグ読取装置１０４から一括受信するものである。さらに、受信手段５０５は、通信制御部４０７を介して、読み取り枚数Ｚを無線タグ読取装置１０４から受信するものである。
【００３１】
ここで、郵便局などにおいて、郵便物などに埋め込まれている無線タグ１００のタグＩＤを読み取る場合について説明する。
【００３２】
ホスト１０５（ＰＯＳ端末）に接続されている無線タグ読取装置１０４により郵便物に埋め込まれた無線タグ１００のタグＩＤを読み取る際、まず、ユーザは、ホスト１０５が備える図示しない入力装置を介して、ホスト１０５に対してタグＩＤを読み取る重複しない無線タグ１００の数ａ（例えば、ａ：５）を入力する。すると、送信手段５０４は、タグ読み取り開始コマンド（ＲＤ，ＳＴＡＲＴ）を無線タグ読取装置１０４に送信する。
【００３３】
さらに、送信手段５０４は、所定時間毎に、リードコマンド（ＲＤ，ａ：５）を無線タグ読取装置１０４に送信する。なお、送信手段５０４は、ユーザによりタグＩＤを読み取る重複しない無線タグ１００の数ａが入力されなかった場合、読み取り対象の無線タグ１００の数よりも十分に大きい値（例えば、１００）を指定するリードコマンド（ＲＤ，ａ：１００）を無線タグ読取装置１０４に送信する。そして、受信手段５０５により無線タグ読取装置１０４から受信した読み取り枚数Ｚが安定した場合（つまり、無線タグ読取装置１０４から受信した読み取り枚数Ｚが増えなくなった場合）、送信手段５０４は、受信した読み取り枚数Ｚを指定するリードコマンド（ＲＤ，ａ：５）を無線タグ読取装置１００に送信する。
【００３４】
受信手段５０２がタグ読み取り開始コマンド（ＲＤ，ＳＴＡＲＴ）を受信すると、読取手段５０１は、無線タグ１００のタグＩＤの読み取りを開始する。次いで、受信手段５０２がリードコマンド（ＲＤ，ａ：５）を受信すると、送信手段５０３は、ＲＡＭ３０３に記憶された読み取り枚数Ｚが、受信したリードコマンドが指定する重複しない無線タグ１００の数である「５」に達しているか否かを判断する。そして、読み取り枚数Ｚが「５」に達していない場合（例えば、読み取り枚数Ｚが「３」の場合）、送信手段５０３は、読み取り枚数Ｚをホスト１０５に送信する。さらに、受信手段５０２がリードコマンド（ＲＤ，ａ：５）を再び受信し、読み取り枚数Ｚが受信したリードコマンドが指定する重複しない無線タグ１００の数である「５」に達している場合、送信手段５０３は、読み取った重複しない５つの無線タグ１００のタグＩＤをホスト１０５に送信する。
【００３５】
受信手段５０５は、無線タグ読取装置１０４から送信された読み取り枚数Ｚ（例えば、「３」）を受信する。さらに、受信手段５０５は、無線タグ読取装置１０４から送信された５つのタグＩＤを一括受信する。
【００３６】
次に、図６を用いて、無線タグ読取装置１０４によるタグＩＤの送信処理の流れについて説明する。図６は、タグＩＤの送信処理の流れを示すフローチャートである。
【００３７】
まず、受信手段５０２は、読取手段５０１により無線タグ１００のタグＩＤの読み取りが行われているか否かを判断する（ステップＳ６０１）。タグＩＤの読み取りが行われていない場合（ステップＳ６０１：Ｎｏ）、受信手段５０２は、タグ読み取りコマンドの受信を待つ（ステップＳ６０２）。そして、タグ読み取りコマンドを受信すると（ステップＳ６０２：Ｙｅｓ）、受信手段５０２は、読み取り枚数Ｚをクリアする（ステップＳ６０３）。続いて、読取手段５０１は、アンテナ１０１を介して、無線タグ１００のタグＩＤの読み取りを開始する（ステップＳ６０４）。
【００３８】
一方、タグＩＤの読み取りが行われている場合（ステップＳ６０１：Ｙｅｓ）、読取手段５０１は、重複しない無線タグ１００のタグＩＤを読み取る毎に（ステップＳ６０５：Ｙｅｓ）、読み取り枚数Ｚをインクリメントする（ステップＳ６０６）。さらに、受信手段５０２がリードコマンドを受信すると（ステップＳ６０７：Ｙｅｓ）、送信手段５０３は、読み取り枚数Ｚが受信したリードコマンドにより指定されるタグＩＤを読み取る重複しない無線タグ１００の数ａに達したか否かを判断する（ステップ６０８）。
【００３９】
ここで、読み取り枚数Ｚがリードコマンドにより指定されるタグＩＤを読み取る重複しない無線タグ１００の数ａに達していない場合（ステップＳ６０８：Ｎｏ）、送信手段５０３は、読み取り枚数Ｚをホスト１０５に送信する（ステップＳ６０９）。一方、読み取り枚数Ｚがリードコマンドにより指定されるタグＩＤを読み取る重複しない無線タグ１００の数ａに達していた場合（ステップＳ６０８：Ｙｅｓ）、送信手段５０３は、読み取り枚数Ｚ、および読取手段５０１により読み取った重複しない無線タグ１００の全てのタグＩＤをホスト１０５に送信するとともに（ステップＳ６１０）、読み取り枚数Ｚをクリアする（ステップＳ６１１）。
【００４０】
なお、リードコマンドを受信しなかった場合（ステップＳ６０７：Ｎｏ）、受信手段５０２は、タグ読み取り停止コマンドの受信を待つ（ステップＳ６１２）。そして、タグ読み取り停止コマンドを受信した場合（ステップＳ６１２：Ｙｅｓ）、読取手段５０１は、無線タグ１００のタグＩＤの読み取りを停止する（ステップＳ６１３）。
【００４１】
図６では、リードコマンドの受信を待って読み取り枚数ＺおよびタグＩＤの送信を行っているが、リードコマンドの受信を待たずに、無線タグ読取装置１０４から自動的にタグＩＤの送信処理（図７参照）を行うことも可能である。図７は、タグＩＤの送信処理の流れを示すフローチャートである。
【００４２】
まず、受信手段５０２は、読取手段５０１により無線タグ１００のタグＩＤの読み取りが行われているか否かを判断する（ステップＳ７０１）。タグＩＤの読み取りが行われていない場合（ステップＳ７０１：Ｎｏ）、受信手段５０２は、タグ読み取りコマンドおよびリードコマンドの受信を待つ（ステップＳ７０２）。そして、タグ読み取りコマンドおよびリードコマンドを受信すると（ステップＳ７０２：Ｙｅｓ）、受信手段５０２は、読み取り枚数Ｚをクリアする（ステップＳ７０３）。続いて、読取手段５０１は、アンテナ１０１を介して、無線タグ１００のタグＩＤの読み取りを開始する（ステップＳ７０４）。
【００４３】
一方、タグＩＤの読み取りが行われている場合（ステップＳ７０１：Ｙｅｓ）、読取手段５０１は、重複しない無線タグ１００のタグＩＤを読み取る毎に（ステップＳ７０５：Ｙｅｓ）、読み取り枚数Ｚをインクリメントする（ステップＳ７０６）。次いで、受信手段５０２によりタグ読み取り停止コマンドを受信していない場合（ステップＳ７０７：Ｎｏ）、送信手段５０３は、読み取り枚数Ｚが受信したリードコマンドにより指定されるタグＩＤを読み取る重複しない無線タグ１００の数ａに達したか否かを判断する（ステップ７０８）。
【００４４】
ここで、読み取り枚数Ｚがリードコマンドにより指定されるタグＩＤを読み取る重複しない無線タグ１００の数ａに達していない場合（ステップＳ７０８：Ｎｏ）、送信手段５０３は、読み取り枚数Ｚをホスト１０５に送信する（ステップＳ７０９）。一方、読み取り枚数Ｚがリードコマンドにより指定されるタグＩＤを読み取る重複しない無線タグ１００の数ａに達していた場合（ステップＳ７０８：Ｙｅｓ）、送信手段５０３は、読み取り枚数Ｚ、および読取手段５０１により読み取った重複しない無線タグ１００の全てのタグＩＤをホスト１０５に送信するとともに（ステップＳ７１０）、読み取り枚数Ｚをクリアする（ステップＳ７１１）。
【００４５】
なお、タグ読み取り停止コマンドを受信した場合（ステップＳ７０７：Ｙｅｓ）、読取手段５０１は、無線タグ１００のタグＩＤの読み取りを停止する（ステップＳ７１２）。
【００４６】
このように本実施の形態にかかる無線タグ読取システム１によれば、アンテナ１０１を介して、無線タグ１００からタグＩＤを読み取り、タグＩＤを読み取った重複しない無線タグの数が、ホスト１０５から受信したリードコマンドが指定する数に達している場合に、読み取った重複しない無線タグ１００の全てのタグＩＤをホスト１０５に送信することにより、ホスト１０５がタグＩＤの受信処理を行う回数を減らすことができるので、無線タグ読取装置１０４およびホスト１０５の処理を軽減することができる。さらに、安価な低処理能力のホスト１０５により無線タグ読取システム１を実現することができる。さらに、無線タグ１００の読取処理と他のアプリケーションにより処理とを共存させることができる。
【符号の説明】
【００４７】
１  無線タグ読取システム
１００  無線タグ
１０１  アンテナ
１０４  無線タグ読取装置
１０５  ホスト
５０１  読取手段
５０２，５０５  受信手段
５０３，５０４  送信手段
【先行技術文献】
【特許文献】
【００４８】
【特許文献１】特開２００６−２７７０１４公報
【図１】
2011053898.tif 000003
【図２】
2011053898.tif 000004
【図３】
2011053898.tif 000005
【図４】
2011053898.tif 000006
【図５】
2011053898.tif 000007
【図６】
2011053898.tif 000008
【図７】
2011053898.tif 000009
【手続補正書】
【提出日】平成22年2月24日(2010.2.24)
【手続補正１】
【補正対象書類名】明細書
【補正対象項目名】０００６
【補正方法】変更
【補正の内容】
【０００６】
上述した課題を解決し、目的を達成するために、本発明は、無線タグと信号を送受信するアンテナを介して、前記無線タグのタグＩＤを読み取る無線タグ読取装置と、前記無線タグ読取装置により読み取られた前記タグＩＤを受信するホストと、を有する無線タグ読取システムであって、前記ホストは、前記無線タグ読取装置が前記タグＩＤを読み取る前記無線タグのうち重複しない前記無線タグの数を指定するリードコマンドを前記無線タグ読取装置に送信する送信手段、を備え、前記無線タグ読取装置は、前記リードコマンドを前記ホストから受信する受信手段と、前記タグＩＤを読み取った前記無線タグのうち重複しない前記無線タグの数が、受信した前記リードコマンドが指定する数に達している場合に、重複しない前記無線タグから読み取った全ての前記タグＩＤを前記ホストに送信する送信手段と、を備えたことを特徴とする。
【手続補正２】
【補正対象書類名】明細書
【補正対象項目名】０００７
【補正方法】変更
【補正の内容】
【０００７】
また、本発明は、無線タグと信号を受信するアンテナを介して前記無線タグのタグＩＤを読み取る無線タグ読取装置に、前記無線タグ読取装置が前記タグＩＤを読み取る前記無線タグのうち重複しない前記無線タグの数を指定するリードコマンドを前記無線タグ読取装置に送信する送信手段と、前記リードコマンドにより指定した数の重複しない前記無線タグの前記タグＩＤを前記無線タグ読取装置から受信する受信手段と、を備えたことを特徴とする。
【手続補正３】
【補正対象書類名】明細書
【補正対象項目名】０００８
【補正方法】変更
【補正の内容】
【０００８】
また、本発明は、無線タグと信号を送受信するアンテナと、前記アンテナを介して前記無線タグからタグＩＤを読み取る読取手段と、前記読取手段により前記タグＩＤを読み取る前記無線タグのうち重複しない前記無線タグの数を指定するリードコマンドをホストから受信する受信手段と、前記タグＩＤを読み取った前記無線タグのうち重複しない前記無線タグの数が、受信した前記リードコマンドが指定する数に達している場合に、重複しない前記無線タグから読み取った全ての前記タグＩＤを前記ホストに送信する送信手段と、を備えたことを特徴とする。
【手続補正４】
【補正対象書類名】特許請求の範囲
【補正対象項目名】全文
【補正方法】変更
【補正の内容】
【特許請求の範囲】
【請求項１】
無線タグと信号を送受信するアンテナを介して、前記無線タグのタグＩＤを読み取る無線タグ読取装置と、前記無線タグ読取装置により読み取られた前記タグＩＤを受信するホストと、を有する無線タグ読取システムであって、
前記ホストは、
前記無線タグ読取装置が前記タグＩＤを読み取る前記無線タグのうち 重複しない前記無線タグの数を指定するリードコマンドを前記無線タグ読取装置に送信する送信手段、
を備え、
前記無線タグ読取装置は、
前記リードコマンドを前記ホストから受信する受信手段と、
前記タグＩＤを読み取った前記無線タグのうち重複しない前記無線タグの数が、受信した前記リードコマンドが指定する数に達している場合に、重複しない前記無線タグから読み取った全ての前記タグＩＤを前記ホストに送信する送信手段と、
を備えたことを特徴とする無線タグ読取システム。
【請求項２】
前記ホストは、
前記タグＩＤを読み取った前記無線タグのうち重複しない前記無線タグの数を前記無線タグ読取装置から受信する受信手段、
をさらに備え、
前記無線タグ読取装置の前記送信手段は、さらに、前記タグＩＤを読み取った前記無線タグのうち重複しない前記無線タグの数が前記リードコマンドにより指定された数に達していない場合、前記タグＩＤを読み取った前記無線タグのうち重複しない前記無線タグの数を前記ホストに送信することを特徴とする請求項１に記載の無線タグ読取システム。
【請求項３】
無線タグと信号を受信するアンテナを介して前記無線タグのタグＩＤを読み取る無線タグ読取装置に、前記無線タグ読取装置が前記タグＩＤを読み取る前記無線タグのうち重複しない前記無線タグの数を指定するリードコマンドを前記無線タグ読取装置に送信する送信手段と、
前記リードコマンドにより指定した数の重複しない前記無線タグの前記タグＩＤを前記無線タグ読取装置から受信する受信手段と、
を備えたことを特徴とするホスト。
【請求項４】
前記受信手段は、前記無線タグ読取装置により前記無線タグの前記タグＩＤが読み取られている間、前記タグＩＤを読み取った前記無線タグのうち重複しない前記無線タグの数を前記無線タグ読取装置から受信することを特徴とする請求項３に記載のホスト。
【請求項５】
無線タグと信号を送受信するアンテナと、
前記アンテナを介して前記無線タグからタグＩＤを読み取る読取手段と、
前記読取手段により前記タグＩＤを読み取る前記無線タグのうち重複しない前記無線タグの数を指定するリードコマンドをホストから受信する受信手段と、
前記タグＩＤを読み取った前記無線タグのうち重複しない前記無線タグの数が、受信した前記リードコマンドが指定する数に達している場合に、重複しない前記無線タグから読み取った全ての前記タグＩＤを前記ホストに送信する送信手段と、
を備えたことを特徴とする無線タグ読取装置。
【請求項６】
前記送信手段は、さらに、前記タグＩＤを読み取った前記無線タグのうち重複しない前記無線タグの数が前記リードコマンドにより指定された数に達していない場合、前記タグＩＤを読み取った前記無線タグのうち重複しない前記無線タグの数を前記ホストに送信することを特徴とする請求項５に記載の無線タグ読取装置。